(57)【特許請求の範囲】
【請求項１】
少なくともひとつの軸受部を形成して光ディスクにアクセスすることが可能な光ピックアップを、シャーシに配設された駆動軸に前記軸受部を係合させ当該駆動軸を駆動することにより前記光ディスクの径方向に移動させる光ディスク装置であって、
前記光ピックアップは、構成部品を搭載した基台に前記軸受部を構成すると共に、その構成部品とシャーシ側の部品との接続をおこなうフレキシブル基板を設けており、前記軸受部の外側であり、当該基台の移動方向前後位置における一方又は両方において、前記駆動軸の溝に入り込むように、前記基台に設けた前記フレキシブル基板の一部で構成された塵掻出部材を有することを特徴とする光ディスク装置。
【請求項２】
少なくともひとつの軸受部を形成して光ディスクにアクセスすることが可能な光ピックアップを、シャーシに配設された駆動軸に前記軸受部を係合させ当該駆動軸を駆動することにより前記光ディスクの径方向に移動させる光ディスク装置であって、
前記光ピックアップは、構成部品を搭載した基台に前記軸受部を構成すると共に、弾性を有し前記駆動軸の溝に係合する凸部を有するナット板を備え、前記軸受部の外側であり、当該基台の移動方向前後位置における一方又は両方に構成して、前記駆動軸の溝に係合する凸部を塵掻出部材としたことを特徴とする光ディスク装置。
【発明の詳細な説明】
【技術分野】
【０００１】
本発明は光ディスクに記録された情報の記録や再生を行うことができる光ディスク装置に関するものである。
【背景技術】
【０００２】
近年、光ディスクを記録媒体として光ピックアップにより読み取り再生する光ディスク装置において、小型化、高性能化が進んでおり、携帯用の光ディスク装置としてミニディスク（ＭＤ）を用いた携帯用ＭＤプレーヤが一般的に普及している。
【０００３】
以下、従来の光ディスク装置について、特許文献１に開示された携帯用ＭＤプレーヤを一例として説明する。
【０００４】
特許文献１に開示されたものは、同文献の図２，３に示されるように、光ピックアップ４（同文献における符号／以下同じ）が駆動シャフト６の回転によって光ディスクの中心から外径方向（トラバース方向）に移動可能となっている。そのために、光ピックアップ４には、駆動シャフト６のほぼ外径の孔４ａ，４ｂが形成されると共に、駆動シャフト６の螺旋溝に係合する凸部を持った板バネ１０が取り付けられている。そして、駆動シャフト６がトラバースモータ８で回転駆動されて光ピックアップ４がトラバース方向に駆動されるようになっている。
【０００５】
ここで、前述の特許文献１における一部分を拡大して概略的に示す図５について説明する。光ピックアップ５１（文献１における４に相当）には、駆動シャフト５２（文献１における６に相当）のほぼ外径の孔５３ａ，５３ｂ（文献１における４ａ，４ｂに相当）が形成されると共に、駆動シャフト５２の螺旋溝５２ａに係合する凸部５４ａを持った板バネ５４（文献１における１０に相当）が取り付けられている。孔５３ａ，５３ｂは、軸受け部５５ａ，５５ｂに形成されており、光ピックアップ５１の駆動シャフト５２に対するガイドとしての機能を有している。また、係合凸部５４ａを有する板バネ５４は、光ピックアップ５１を駆動シャフト５２の螺旋溝５２ａに対応して軸方向に導くナットとしての機能を有している。
【特許文献１】特開平１１−９６７４７号公報
【発明の開示】
【発明が解決しようとする課題】
【０００６】
このような従来の光ディスク装置において、図５に示すように、駆動シャフト５２の螺旋溝５２ａの谷部または谷部と山部の境界部に塵３１が付着すると、光ピックアップ５１の軸受け部５５ａ，５５ｂと駆動シャフト５２との間に塵５６が挟まり、光ピックアップ５１のトラック方向の移動が妨げられてしまう。こうなれば、光ピックアップ５１が光ディスクの情報を正確に読み取ることができなくなるので、音楽情報を再生できなくなるという問題点を有していた。
【課題を解決するための手段】
【０００７】
この課題を解決する為に本発明の光ディスク装置は、少なくともひとつの軸受部を形成して光ディスクにアクセスすることが可能な光ピックアップを、シャーシに配設された駆動軸に前記軸受部を係合させ当該駆動軸を駆動することにより前記光ディスクの径方向に移動させる光ディスク装置であって、前記光ピックアップは、構成部品を搭載した基台に前記軸受部を構成すると共に、その構成部品とシャーシ側の部品との接続をおこなうフレキシブル基板を設けており、前記軸受部の外側であり、当該基台の移動方向前後位置における一方又は両方において、前記駆動軸の溝に入り込むように、前記基台に設けた前記フレキシブル基板の一部で構成された塵掻出部材を有することを特徴とするものである。
また、塵掻出部材を、基台に備えたナット板に設けた弾性を有する凸部により構成し、この凸部を前記駆動軸の溝に係合させたものである。
【発明の効果】
【０００８】
本発明の光ディスク装置は、光ピックアップの軸受部の外側に、駆動軸の溝に入り込むように、フレキシブル基板の一部又はナット板の凸部よりなる塵掻出部材を配置することで、駆動軸の溝の谷部または谷部と山部の境界部に存在する塵を取り除くことができ、駆動軸と軸受部との間に塵が挟まって光ピックアップのトラバース方向の移動が妨げられるということが防止でき、そのことが原因による光ディスクの読み取り不備によって再生ができなくなるという問題を無くすことができる。
【発明を実施するための最良の形態】
【０００９】
(実施の形態１)
図１は本発明の第１の形態におけるＭＤプレーヤの光ピックアップとその駆動部を構成したシャーシの斜視図、図２は同光ピックアップを取り付けた基台と駆動軸の部分拡大図を示す。
【００１０】
図において、１は光ピックアップ、２は駆動軸、３はナット板であり、これらはＭＤプレーヤの光ピックアップ駆動メカニズムを構成するシャーシ４に搭載されている。光ピックアップ１は、基台１ａに、レンズや受光素子、発光素子、ミラーなど構成部品１ｂを搭載して構成されている。この光ピックアップ１は、シャーシ４に設けられたスピンドルモータ５と同軸に設けられたターンテーブル６に載置された光ディスク（図示せず）に対向して、その中心から外径方向（トラバース方向）に移動可能となっている。
【００１１】
光ピックアップ１の基台１ａには、駆動軸２を貫通する孔１ｈを有しガイドするための軸受部１ｃ、１ｄを形成し、ナット板３を取り付けており、軸受部１ｃ、１ｄと反対側にはシャーシ４に形成したガイドリブ４ａに係合してガイドされる係合部１ｅを形成している。駆動軸２は、シャーシ４に設けた駆動用モータ２ａにより回転駆動できるようになっており、この駆動軸２にはその軸方向に螺旋状の溝２ｂを形成している。また、ナット板３は、基台１ａに固定され、その先端には駆動軸２の溝２ｂに係合する凸部３ａを有し、この凸部３ａは弾性板部３ｂの先端に形成されており、従って凸部３ａは常に溝２ｂの方向に付勢され、このナット板３が固定された基台１ａを駆動軸２の回転に応じて移動できるようにしている。
【００１２】
また、光ピックアップ１の基台１ａには、その側面部に、駆動軸２の溝２ｂに対向して入り込む塵掻出部材７を設けている。ここで、この塵掻出部材７は、基台１ａ上の構成部品１ｂとシャーシ４側に設けた回路基板との間を電気的に接続するフレキシブルプリント基板を利用して形成され、回路が直接構成されない部分を突出してその先端が溝２ｂに入り込むように構成している。ここで、フレキシブルプリント基板を利用して形成された塵掻出部材７は、その弾性強度を、他の部分に対して異ならせて形成しても良く、必要に応じて金属層（銅箔）を形成して適度の弾性強度を保持するようにしても良い。
【００１３】
以上の様に構成された光ディスク装置について、その動作を説明する。光ディスク上の任意の位置の信号を読み取るため、駆動軸２を回転駆動させることにより、ナット板３の凸部３ａと駆動軸２の溝２ｂとの係合によって、光ピックアップ１を光ディスクの中心から外周方向Ａあるいはその逆方向Ｂに移動させることができる。そして、必要なデータが存在する場合、光ピックアップ１の構成部品１ｂ等によってディスク上の信号を読み取ることができる。この光ピックアップ１の移動の際に、光ピックアップ１の基台１ａの外側における駆動軸２の溝２ｂ部分（例えば図２に示す右側部分）の谷部または谷部と山部との境界部に塵Ｘがあった場合、この塵Ｘの存在する方向Ａに、光ピックアップ１の基台１ａが移動すると、基台１ａに形成した軸受部１ｄがこの塵Ｘの部分に達する前に、塵掻出部材７が通過することになる。このため、この塵掻出部材７によって塵Ｘを掻き出して取り除くことが出来、その結果、軸受部１ｄと駆動軸２の間に塵Ｘが挟まるということがなくなる。
【００１４】
また、以上の説明では、光ピックアップ１の基台１ａの一方の外側に塵掻出部材７を配置した例について説明したが、基台１ａに設けた軸受部１ｃ，１ｄの両方の外側に配置しても良く、この場合、光ピックアップ１の移動方向Ａ又はＢのいずれの方向においても、塵Ｘを有効に掻き出すことができる。また、基台１ａに設けた軸受部１ｃ，１ｄの内側に配置しても良く、この場合、軸受部１ｃと軸受部１ｄとの間に塵Ｘが付着していた時に、同様の塵掻き出し効果を得ることが出来る。
【００１５】
また、図１においては、塵掻出部材７が駆動軸２の溝２ｂと接触しないような形状としたが、接触するような構成としても同様の効果を得ることが出来る。
【００１６】
(実施の形態２)
図３は図１は本発明の第２の形態におけるＭＤプレーヤの光ピックアップとその駆動部を構成したシャーシの斜視図、図４は同光ピックアップを取り付けた基板と駆動軸の部分拡大図を示す。
【００１７】
前述の実施の形態１における場合と異なる部分は、光ピックアップ１の基台１ａに設けた軸受部１ｆ，１ｇとナット板８である。すなわち、基台１ａに対して軸受部１ｆは前述の軸受部１ｃとほぼ同じであるが、軸受部１ｇは軸受部１ｆに接近して設け、この軸受部１ｇの外側（すなわち、基台１ａが矢印Ａ方向に移動する場合に、軸受部１ｇより先頭となる位置側）にナット板８を固定している。このナット板８は、基台１ａに固定され、その先端には駆動軸２の溝２ｂに係合する凸部８ａを有し、この凸部８ａは弾性板部８ｂの先端に形成されており、従って凸部８ａは常に溝２ｂの方向に付勢され、このナット板８が固定された基台１ａを駆動軸２の回転に応じて移動できるようにしている点は、第１の形態と同様の作用である。ここで、ナット板８の先端の凸部８ａは、塵掻出部材を兼ねており、弾性板部８ｂによる付勢力で常に溝２ｂに接しながら、溝２ｂに付着した塵Ｘを掻き出すことができる。
【００１８】
また、図３，４においては、塵掻出部材８を軸受部１ｇの外側に設けた例を示したが、軸受部１ｆの外側に設けても、また、両側に設けても良い。
【００１９】
なお、前述の実施形態において、塵Ｘを塊形状で図示したが、糸形状など、他の形状の異物が付着した時においても同様の効果を得ることが出来る。
【００２０】
また、前述の実施形態において、携帯MDプレーヤを例に説明したが、携帯、据え置きにかかわらず、また、CD、DVD、ブルーレイディスクなど、その他の光ディスク装置でも本発明は有効であることは言うまでもない。
【産業上の利用可能性】
【００２１】
本発明にかかる光ディスク装置は、光ピックアップを駆動軸によって移動自在に構成したものにおいて、駆動軸に付着した塵を除去するという効果を有し、光ピックアップを駆動軸によって移動自在に構成したものを採用できる光ディスク装置等に有効である。
【図面の簡単な説明】
【００２２】
【図１】本発明の第１の形態におけるＭＤプレーヤの光ピックアップとその駆動部を構成したシャーシの斜視図
【図２】同光ピックアップを取り付けた基台と駆動軸の部分拡大図
【図３】本発明の第２の形態におけるＭＤプレーヤの光ピックアップとその駆動部を構成したシャーシの斜視図
【図４】同光ピックアップを取り付けた基台と駆動軸の部分拡大図
【図５】従来のMDプレーヤの光ピックアップを取り付けた基台と駆動軸の部分拡大図
【符号の説明】
【００２３】
１    光ピックアップ
１ａ  光ピックアップの基台
１ｂ  光ピックアップの構成部品
１ｃ、１ｄ、１ｆ、１ｇ  光ピックアップの軸受部
２    駆動軸
２ｂ  螺旋状の溝
３、８  ナット板
３ａ、８ａ  ナット板の凸部
４    シャーシ
６    ターンテーブル
７    塵掻出部材
Ｘ    塵
【図１】
0004508063.tif 000002
【図２】
0004508063.tif 000003
【図３】
0004508063.tif 000004
【図４】
0004508063.tif 000005
【図５】
0004508063.tif 000006